(57)【要約】      （修正有）【課題】少なくとも一つのファイルをフォルダに保存する際に、簡単な操作で新規のフォルダにファイルを保存することが可能な電子装置、フォルダ生成システム、フォルダ生成方法、およびフォルダ生成プログラムを提供する。【解決手段】自装置の表示手段において、一のオブジェクトが、一のアイコンに重ねられたことを検出すると、新たなフォルダを生成する。そして、重ねられた一のオブジェクトおよび一のアイコンの少なくとも一方に関連付けられているファイルを生成された新たなフォルダに格納する。また、一のオブジェクトおよび一のアイコンの少なくとも一方に重ねられている他のアイコンが存在する場合には、このアイコンに関連付けられているファイルをも新たなフォルダに格納する。【選択図】図１
2012008916.tif 000002
【特許請求の範囲】
【請求項１】
自装置の表示手段において、一のオブジェクトが、一のアイコンに重ねられたことを検出する検出手段と、
前記検出手段による検出に応じて、新たなフォルダを生成するフォルダ生成手段と、
前記一のオブジェクトおよび前記一のアイコンの少なくとも一方に関連付けられているファイルを前記新たなフォルダに格納するファイル格納手段と、
を有する電子装置。
【請求項２】
前記一のオブジェクトは、アイコンであることを特徴とする請求項１に記載の電子装置。
【請求項３】
前記ファイル格納手段は、前記表示手段において、前記一のオブジェクトおよび前記一のアイコンの少なくとも一方に重ねられている他のアイコンが存在する場合には、前記一のオブジェクトおよび前記一のアイコンの少なくとも一方に関連付けられているファイルに加えて、前記他のアイコンに関連付けられているファイルをも前記新たなフォルダに格納することを特徴とする請求項１又は２に記載の電子装置。
【請求項４】
前記フォルダ生成手段において前記新たなフォルダが生成される際に、前記新たなフォルダを示すアイコンを前記表示手段に表示するフォルダアイコン表示手段をさらに有し、
前記フォルダアイコン表示手段は、前記一のオブジェクトの種類もしくは前記一のオブジェクトに関連付けられているデータの種類と、前記一のアイコンに関連付けられているデータの種類と、に基づいて決定される所定のフォルダアイコンを前記新たなフォルダを示すアイコンとして前記表示手段に表示することを特徴とする請求項１から３のいずれか一項に記載の電子装置。
【請求項５】
前記表示手段はタッチパネルであることを特徴とする請求項１から４のいずれか一項に記載の電子装置。
【請求項６】
電子装置の表示手段において、一のオブジェクトが、一のアイコンに重ねられたことを検出する検出手段と、
前記検出手段による検出に応じて、新たなフォルダを生成するフォルダ生成手段と、
前記一のオブジェクトおよび前記一のアイコンの少なくとも一方に関連付けられているファイルを前記新たなフォルダに格納するファイル格納手段と、
を有するフォルダ生成システム。
【請求項７】
電子装置において実行されるフォルダ生成方法であって、
前記電子装置の表示手段において、一のオブジェクトが、一のアイコンに重ねられたことを検出する検出ステップと、
前記検出ステップにおける検出に応じて、新たなフォルダを生成するフォルダ生成ステップと、
前記一のオブジェクトおよび前記一のアイコンの少なくとも一方に関連付けられているファイルを前記新たなフォルダに格納するファイル格納ステップと、
を有するフォルダ生成方法。
【請求項８】
コンピュータに、
表示手段において、一のオブジェクトが、一のアイコンに重ねられたことを検出する検出ステップと、
前記検出ステップにおける検出に応じて、新たなフォルダを生成するフォルダ生成ステップと、
前記一のオブジェクトおよび前記一のアイコンの少なくとも一方に関連付けられているファイルを前記新たなフォルダに格納するファイル格納ステップと、
を実行させるためのフォルダ生成プログラム。
【発明の詳細な説明】
【技術分野】
【０００１】
本発明は、複数のファイルを整理するための電子装置、フォルダ生成システム、フォルダ生成方法、およびフォルダ生成プログラムに関する。
【背景技術】
【０００２】
従来、パソコンなどのコンピュータにおいては、複数のファイルをフォルダという単位でまとめて管理するファイル管理システムが確立している。このようなファイル管理システムにおいて、より簡単にファイルの管理を行う方法として、例えば、特許文献１および特許文献２のようなファイル管理のためのシステムが開示されている。
特許文献１に記載の発明では、ユーザの操作によって表示装置に表示されているフォルダのアイコンが他のフォルダのアイコンにドラッグ・アンド・ドロップされると、ドラッグ・アンド・ドロップされたフォルダの同一階層に新しいフォルダが生成される。そして、双方のフォルダに格納されている各ファイルへのショートカットファイル（各ファイルへの参照として機能するファイル）が、この新しいフォルダに格納される。
【０００３】
また、特許文献２に記載の発明では、デジタルカメラ等において、メモリカードに記録された画像ファイルをデジタルカメラ等の記憶装置に保存する際に、メモリカードから識別情報を取得し、その識別情報に応じた名前のフォルダが存在するか否かを判別する。フォルダが存在する場合には、そのフォルダに画像ファイルを保存し、フォルダが存在しない場合には、識別情報に応じた名前のフォルダを作成した後、この作成したフォルダに画像ファイルを保存する。
【先行技術文献】
【特許文献】
【０００４】
【特許文献１】特開２００５−１９８０６４号公報
【特許文献２】特開２００１−１４４９２１号公報
【発明の概要】
【発明が解決しようとする課題】
【０００５】
ところで、近年、特に携帯電話等の携帯型端末においては、タッチパネル形式のディスプレイの表面にユーザが指を接触させて、その指を動かすことでファイルの操作等を行う端末が増えている。このような端末においては、基本的にマウス等のデバイスは使用されないのが通常である。よって、タッチパネル形式の端末においては、マウスを使用する場合のように左クリックや右クリックによって操作メニューを表示させることができないため、操作が煩雑になりやすい。例えば、既存の複数のファイルを新規フォルダに保存する場合には、新規フォルダを作成し、フォルダ名を付けて、作成したフォルダにファイルを移動させる、という複数の操作をユーザが逐一行わなければならない。
【０００６】
特許文献１に記載の発明では、フォルダを他のフォルダにドラッグ・アンド・ドロップするだけで新規フォルダが作成される。しかし、特許文献１の発明は、そもそもファイルの管理を簡略化することを目的としており、ファイルそのものが移動するわけではなく、ファイルのショートカットが生成されるのみである。よって、簡単に任意のファイルを一つのフォルダにまとめたいというようなユーザの要求等には資さない。
【０００７】
また、特許文献２に記載の発明においても、メモリカードの識別情報に応じた名前のフォルダが自動的に生成されるが、この発明もファイル管理を目的としており、特許文献１の発明と同様に、ユーザが所望するファイルを一つのフォルダに簡単にまとめるという要求には資さない。
そこで本発明は、上記課題に鑑みてなされたものであり、少なくとも一つのファイルをフォルダに保存する際に、簡単な操作で新規のフォルダにファイルを保存することが可能な電子装置、フォルダ生成システム、フォルダ生成方法、およびフォルダ生成プログラムを提供することを目的とする。
【課題を解決するための手段】
【０００８】
上記課題を解決するために、本発明は、自装置の表示手段において、一のオブジェクト（例えば、図７のアイコン２０１、図１０のオブジェクト３０３等）が、一のアイコン（例えば、図７のアイコン２０２、図１０のアイコン３０１等）に重ねられたことを検出する検出手段と、前記検出手段による検出に応じて、新たなフォルダを生成するフォルダ生成手段と、前記一のオブジェクトおよび前記一のアイコンの少なくとも一方に関連付けられているファイルを前記新たなフォルダに格納するファイル格納手段と、を有する電子装置を提案する。
【０００９】
この構成によれば、例えば、ユーザがファイルのアイコン等を、同じフォルダにまとめたい別のファイル等のアイコンにドラッグ・アンド・ドロップするだけで、自動的に新規フォルダが生成されて、重ねられたアイコン等に関連付けられているファイルがこの新規フォルダに保存される。つまり、ユーザは簡単な手順で所望の複数のファイルを一つのフォルダに保存することができるので、特にマウス等を使用しないタッチパネル形式の端末の操作において便利である。
【００１０】
また、前記一のオブジェクトは、アイコンであってもよい。
また、前記ファイル格納手段は、前記表示手段において、前記一のオブジェクトおよび前記一のアイコンの少なくとも一方に重ねられている他のアイコン（例えば、図１０のアイコン３０２等）が存在する場合には、前記一のオブジェクトおよび前記一のアイコンの少なくとも一方に関連付けられているファイルに加えて、前記他のアイコンに関連付けられているファイルをも前記新たなフォルダに格納するようになっていてもよい。
【００１１】
この構成によれば、複数のファイルを一つのフォルダに簡単に保存することができる。
また、前記フォルダ生成手段において前記新たなフォルダが生成される際に、前記新たなフォルダを示すアイコンを前記表示手段に表示するフォルダアイコン表示手段をさらに有し、前記フォルダアイコン表示手段は、前記一のオブジェクトの種類もしくは前記一のオブジェクトに関連付けられているデータの種類と、前記一のアイコンに関連付けられているデータの種類と、に基づいて決定される所定のフォルダアイコンを前記新たなフォルダを示すアイコンとして前記表示手段に表示するようになっていてもよい。
【００１２】
この構成によれば、例えば、重ねられたアイコンに関連付けられているファイル等の種類に基づいたアイコンが、新規フォルダのアイコンとしてディスプレイ等に表示される。例えば、新規フォルダのアイコンとして、重ねられたファイル等の種類に応じて直感的にそれらのファイル等の種類を想起しやすいアイコンをあらかじめ決定しておけば、ユーザはフォルダのアイコンを見るだけで、そのフォルダに保存されたファイルがどのような種類のものであるか直感的に把握することができる。
【００１３】
また、前記表示手段はタッチパネルであってもよい。
表示手段がタッチパネルである場合には、一般的にマウスは使用されず操作が煩雑となりやすいため、本発明は特に便利である。
また、本発明は、電子装置の表示手段において、一のオブジェクト（例えば、図７のアイコン２０１、図１０のオブジェクト３０３等）が、一のアイコン（例えば、図７のアイコン２０２、図１０のアイコン３０１等）に重ねられたことを検出する検出手段と、前記検出手段による検出に応じて、新たなフォルダを生成するフォルダ生成手段と、前記一のオブジェクトおよび前記一のアイコンの少なくとも一方に関連付けられているファイルを前記新たなフォルダに格納するファイル格納手段と、を有するフォルダ生成システムを提案する。
【００１４】
この構成によれば、例えば、ユーザがファイルのアイコン等を、同じフォルダにまとめたい別のファイル等のアイコンにドラッグ・アンド・ドロップするだけで、自動的に新規フォルダが生成されて、重ねられたアイコン等に関連付けられているファイルがこの新規フォルダに保存される。つまり、ユーザは簡単な手順で所望の複数のファイルを一つのフォルダに保存することができるので、特にマウス等を使用しないタッチパネル形式の端末の操作において便利である。
【００１５】
また、本発明は、電子装置において実行されるフォルダ生成方法であって、前記電子装置の表示手段において、一のオブジェクト（例えば、図７のアイコン２０１、図１０のオブジェクト３０３等）が、一のアイコン（例えば、図７のアイコン２０２、図１０のアイコン３０１等）に重ねられたことを検出する検出ステップ（例えば、図９のステップＳ１０１、図１２のステップＳ２０１）と、前記検出手段による検出に応じて、新たなフォルダを生成するフォルダ生成ステップ（例えば、図９のステップＳ１０２、図１２のステップＳ２０２）と、前記一のオブジェクトおよび前記一のアイコンの少なくとも一方に関連付けられているファイルを前記新たなフォルダに格納するファイル格納ステップ（例えば、図９のステップＳ１０３、図１２のステップＳ２０４・Ｓ２０５）と、を有するフォルダ生成方法を提案する。
【００１６】
この構成によれば、例えば、ユーザがファイルのアイコン等を、同じフォルダにまとめたい別のファイル等のアイコンにドラッグ・アンド・ドロップするだけで、自動的に新規フォルダが生成されて、重ねられたアイコン等に関連付けられているファイルがこの新規フォルダに保存される。つまり、ユーザは簡単な手順で所望の複数のファイルを一つのフォルダに保存することができるので、特にマウス等を使用しないタッチパネル形式の端末の操作において便利である。
【００１７】
また、本発明は、コンピュータに、表示手段において、一のオブジェクト（例えば、図７のアイコン２０１、図１０のオブジェクト３０３等）が、一のアイコン（例えば、図７のアイコン２０２、図１０のアイコン３０１等）に重ねられたことを検出する検出ステップ（例えば、図９のステップＳ１０１、図１２のステップＳ２０１）と、前記検出手段による検出に応じて、新たなフォルダを生成するフォルダ生成ステップ（例えば、図９のステップＳ１０２、図１２のステップＳ２０２）と、前記一のオブジェクトおよび前記一のアイコンの少なくとも一方に関連付けられているファイルを前記新たなフォルダに格納するファイル格納ステップ（例えば、図９のステップＳ１０３、図１２のステップＳ２０４・Ｓ２０５）と、を実行させるためのフォルダ生成プログラムを提案する。
【００１８】
この構成によれば、例えば、ユーザがファイルのアイコン等を、同じフォルダにまとめたい別のファイル等のアイコンにドラッグ・アンド・ドロップするだけで、自動的に新規フォルダが生成されて、重ねられたアイコン等に関連付けられているファイルがこの新規フォルダに保存される。つまり、ユーザは簡単な手順で所望の複数のファイルを一つのフォルダに保存することができるので、特にマウス等を使用しないタッチパネル形式の端末の操作において便利である。
【発明の効果】
【００１９】
以上説明したように、本発明によれば、所望の複数のファイルを簡単な操作で新規フォルダに保存することができる。特に、マウス等を使用しないタッチパネル形式の端末の操作性に資する。
【図面の簡単な説明】
【００２０】
【図１】電子装置１の構成例を示す図である。
【図２】電子装置１の別の構成例を示す図である。
【図３】電子装置１におけるファイル構成を示す図である。
【図４】アイコンＩＤの具体例を示す図である。
【図５】オブジェクトの種類もしくはオブジェクトに関連付けられているデータの種類と、アイコンに関連付けられているデータの種類と、生成される新規フォルダを表すアイコンの種類とが関連付けられたデータの具体例を示す図である。
【図６】データＩＤと、アイコンＩＤと、所属フォルダのアイコンＩＤとが関連付けられたデータの具体例を示す図である。
【図７】アイコンとアイコンとが重ねられる場合の具体例を示す図である。
【図８】新規フォルダの内容表示の具体例を示す図である。
【図９】電子装置１の動作を示すフロー図である。
【図１０】オブジェクトとアイコンとが重ねられる場合の具体例を示す図である。
【図１１】新規フォルダの内容表示の具体例を示す図である。
【図１２】電子装置１の動作を示すフロー図である。
【発明を実施するための形態】
【００２１】
以下、本発明の実施形態について、図面を参照しながら説明する。なお、以下の説明において参照する各図では、同等部分は同一符号によって示される。
（電子装置の構成）
まず、本実施形態に係る電子装置の構成について、図１を用いて説明する。図１は、本実施形態に係る電子装置の構成例を示す図である。
図１に示される電子装置１は、表示部１００と、検出部１０１と、フォルダ生成部１０２と、フォルダアイコン表示部１０３と、ファイル格納部１０４とを有する。
【００２２】
表示部１００は、タッチパネルであり、ユーザの操作によって選択されたフォルダに属しているファイルを表示したり、選択されたファイルの内容を表示する等の機能を有する。また、表示部１００は、ＧＵＩ（Graphical User Interface）によってユーザの操作による指示を受け付ける。つまり、電子装置１のユーザは、指などをディスプレイの表面に接触させることによってアイコンを選択したり、アイコンが表示されている部分に指などを接触させた状態でその指などを動かすことで、アイコンをドラッグしたりすることができる。
【００２３】
検出部１０１は、表示部１００において、一のオブジェクトが、一のアイコンに重ねられたことを検出する。ここで、「オブジェクト」とは、表示部１００に表示されてユーザの操作対象となる図形や画像等（例えば、後述する図１０の画鋲形状のオブジェクト３０３）が該当し、ファイルのアイコンやフォルダのアイコンの他、ファイルやデータが関連付けられていない図形、画像等であってもよい。また、「アイコン」とは、ファイルのアイコンやフォルダのアイコンが該当する。
【００２４】
また、「一のオブジェクトが、一のアイコンに重ねられた」とは、具体的には、ユーザの操作によって、一のオブジェクトが、一のアイコンの少なくとも一部分に重なるようにドラッグ・アンド・ドロップされた場合等が該当する。また、逆に、一のアイコンが、一のオブジェクトの少なくとも一部分に重なるようにドラッグ・アンド・ドロップされた場合等も含む。
【００２５】
さらに、「一のオブジェクトが、一のアイコンに重ねられた」とは、例えば、一のオブジェクトが複数のアイコンに対して、各アイコンの少なくとも一部分に重なるようにドラッグ・アンド・ドロップされた場合等も含む。この場合、後述するファイル格納部１０４においては、例えば、一のオブジェクトに重ねられた複数のアイコンのうち、いずれかのアイコン（例えば、一のオブジェクトと重なっている部分の面積が多きい方のアイコン、一のオブジェクトと時間的に先に重ねられたアイコン等）、もしくは全てのアイコンに関連付けられているファイルを新規フォルダに格納する等となっていてもよい。
【００２６】
また、検出部１０１は、例えば、一のオブジェクトがドラッグされて、一のアイコンの少なくとも一部分に重なる位置で一定時間停止した場合に「一のオブジェクトが、一のアイコンに重ねられた」と判断するようになっていてもよい。
フォルダ生成部１０２は、検出部１０１による検出に応じて、新たなフォルダを生成する。新たなフォルダは、所定のフォルダ階層に生成される。具体的には、例えば、検出部１０１によって重ねられたことが検出された一のオブジェクトもしくは一のアイコンと同じフォルダ階層に生成される。また、例えば、ユーザがあらかじめ指定するフォルダ階層に生成されるようになっていてもよく、この場合、ユーザの所望のフォルダ階層にフォルダが生成されるためユーザにとっては都合がよい。
【００２７】
フォルダアイコン表示部１０３は、フォルダ生成部１０２において新たなフォルダが生成される際に、この新たなフォルダを示すアイコンを表示部１００に表示する。また、フォルダアイコン表示部１０３は、検出部１０１によって重ねられたことが検出された一のオブジェクトの種類もしくは一のオブジェクトに関連付けられているデータの種類と、一のアイコンに関連付けられているデータの種類とに基づいて決定される所定のフォルダアイコンを新たなフォルダを示すアイコンとして表示部１００に表示する。
【００２８】
「一のオブジェクトの種類」とは、具体的には、フォルダのアイコンの種類等が該当する。また、「一のオブジェクト（一のアイコン）に関連付けられているデータの種類」とは、具体的には、そのアイコンで表されるファイルの種類や、そのアイコンで表されるフォルダに保存されているファイルの種類等が該当する。
ファイル格納部１０４は、検出部１０１によって重ねられたことが検出された一のオブジェクトおよび一のアイコンの少なくとも一方に関連付けられているファイルを、フォルダ生成部１０２によって生成された新たなフォルダに格納する。
【００２９】
また、ファイル格納部１０４は、表示部１００において、検出部１０１によって重ねられたことが検出された一のオブジェクトおよび一のアイコンの少なくとも一方に重ねられている他のアイコンが存在する場合には、一のオブジェクトおよび一のアイコンの少なくとも一方に関連付けられているファイルに加えて、この他のアイコンに関連付けられているファイルをも新たなフォルダに格納するようになっていてもよい。これにより、例えば、ユーザが複数のファイルのアイコンを重ね、さらに他のファイルのアイコンを重ねる等の操作をした場合には、重ねられた複数のアイコンで示されるファイルが、新規のフォルダに保存される。なお、「一のオブジェクトおよび一のアイコンの少なくとも一方に重ねられている」とは、具体的には、ユーザの操作によって、一のオブジェクト又は一のアイコン、もしくは双方の少なくとも一部分に重なるようにドラッグ・アンド・ドロップされている場合等が該当する。
【００３０】
（電子装置の別の構成例）
図２は、電子装置１の別の構成例を示す図である。図２に示される電子装置１は、画面表示部１１１と、画面操作部１１２と、ファイル管理部１１３と、管理制御部１１４とを有する。
画面表示部１１１は、管理制御部１１４から出力される命令により、画面操作部１１２において受け付けたユーザ操作の結果や、ファイル管理部１１３におけるファイルやフォルダの内容等を表示する。
画面操作部１１２は、画面上におけるユーザからの操作を受け付け、この受け付けた操作の内容を管理制御部１１４に通知する。
【００３１】
ファイル管理部１１３は、電子装置１におけるファイル構成の情報を保持する。また、管理制御部１１４からの命令により、ファイル構成を変更したり、ファイルの内容を書き換える等の処理を行う。
管理制御部１１４は、画面表示部１１１、画面操作部１１２、ファイル管理部１１３を制御する機能を有する。具体的には、各構成において実行された処理の結果を受け付けたり、その結果に基づいて他の構成に対して、特定の処理を実行すべき旨の命令を出力する。
【００３２】
図１に示される構成と、図２に示される構成との関係は以下の通りである。すなわち、図２の画面表示部１１１と画面操作部１１２は、図１の表示部１００に含まれる。また、図２のファイル管理部１１３は、図１のフォルダ生成部１０２、ファイル格納部１０４の一部を構成する。また、図２の管理制御部１１４は、図１の検出部１０１、フォルダ生成部１０２、フォルダアイコン表示部１０３、ファイル格納部１０４の一部を構成する。
【００３３】
なお、図１および図２に示される電子装置１は、図示されないＣＰＵ（Central  Processing  Unit）、ＲＡＭ（Random  Access  Memory）等のメモリ、ＳＳＤ（Solid State Disk）やハードディスク等の記憶装置、ネットワークインタフェース等の一般的なコンピュータの構成と同様の構成により実現される。また、以上に説明した電子装置１の各構成の機能は、例えば、ＣＰＵがＳＳＤ等に記憶されているプログラムをＲＡＭ等のメモリ上に読み出して実行することによって実現される機能である。
【００３４】
（電子装置の動作）
以下、電子装置１の動作について、図３〜図６を用いて詳細に説明する。
図３に示されるように、電子装置１においては、少なくとも一つのファイルを「フォルダ」の単位で管理するファイル構成が採用されている。例えば、図３の例においては、“夏休み”というフォルダに、“Photo_XXX.jpg”、“Photo_YYY.jpg”、“Photo_ZZZ.jpg”という３つのファイルが属しており、“仕事”というフォルダには、“XXX.pdf”、“YYY.doc”、“Photo_AAA.jpg”、“zzz.txt”、という４つのファイルが属している。なお、このようなファイル構成は、図示されない電子装置１のＳＳＤ等の記憶装置に記憶される。
【００３５】
また、電子装置１のＣＰＵによって実行されるプログラム上において、表示部１００（または画面表示部１１１。以下同様。）に表示されるファイルのアイコンやフォルダのアイコンには、アイコンを識別するための識別子であるアイコンＩＤが付されている。図４は、アイコンＩＤの具体例である。図４に示されるように、アイコンＩＤと、各アイコンで示されるファイルの種類やフォルダを示すアイコンの種類等は、関連付けられて電子装置１のＳＳＤ等の記憶装置にデータベース等として記憶されている。
【００３６】
ここで、例えば、表示部１００上においてユーザ操作がなされ、検出部１０１において、アイコンＩＤが“ＩＣ００１”のアイコンＡ（オブジェクトＡ）が、アイコンＩＤが“ＩＣ００２”のアイコンＢに重ねられたことが検出されたとする。すると、重ねられた双方のアイコンのアイコンＩＤである“ＩＣ００１”と“ＩＣ００２”とがフォルダ生成部１０２に出力される。
【００３７】
フォルダ生成部１０２においては、図４に示されるデータが参照され、アイコンＩＤ“ＩＣ００１”および“ＩＣ００２”に関連付けられているデータの種類が判別される。ここで、アイコンＩＤ“ＩＣ００１”に関連付けられているデータの種類は画像ファイルであり、アイコンＩＤ“ＩＣ００２”に関連付けられているデータの種類も画像ファイルである。
【００３８】
次に、フォルダアイコン表示部１０３では、図５に示されるデータが参照されて、生成されるフォルダのアイコンの種類が決定される。図５に示されるデータは、ユーザの操作によって表示部１００で重ねられるオブジェクト（またはアイコン）の種類もしくはオブジェクトに関連付けられているデータの種類と、アイコンに関連付けられているデータの種類と、オブジェクトとアイコンが重ねられた場合に新規に生成されるフォルダを表すアイコンの種類とが関連付けられたデータである。このデータは、電子装置１のＳＳＤ等の記憶装置にデータベース等として記憶されている。
【００３９】
本例の場合、アイコンＩＤ“ＩＣ００１”とアイコンＩＤ“ＩＣ００２”とに関連付けられているデータは両方とも画像ファイルであるので、フォルダアイコン表示部１０３においては、図５に示されるデータが参照されて、新規フォルダに対応するアイコンとして、“アルバムフォルダ”のアイコンが生成されることが決定される。また、この新たなアルバムフォルダに対して、アイコンＩＤとして、例えば“ＩＣ１０１”が付されて、図４に示されるデータに追加される（図４参照）。
【００４０】
また、図示されないが、新規フォルダのアイコンの種類に対応したアイコンの画像が、電子装置１のＳＳＤ等の記憶装置に記憶されている。すなわち、フォルダアイコン表示部１０３においては、図５に示されるデータが参照されることで新規フォルダのアイコンの種類が決定され、決定されたアイコンの種類に対応したアイコンの画像が表示部１００において表示される。
【００４１】
次に、ファイル格納部１０４において、アイコンＡとアイコンＢが表すファイルが、新規に生成されたアイコンＩＤ“ＩＣ１０１”のフォルダに格納される。ここで、通常時、電子装置１のＳＳＤ等の記憶装置には図６に示されるようなデータが記憶されている。「データＩＤ」はアイコンに関連付けられているデータ（すなわち、ファイル等）を識別するための識別子であり、「アイコンＩＤ」はデータＩＤで識別されるデータのアイコンを識別するための識別子である。また、「所属フォルダ」は、データが属するフォルダのアイコンＩＤを示す。
【００４２】
本例の場合、アイコンＩＤ“ＩＣ００１”のアイコンにはデータＩＤ“Ｄ００１”のファイルが関連付けられており、アイコンＩＤ“ＩＣ００２”のアイコンにはデータＩＤ“Ｄ００２”のファイルが関連付けられている。ファイル格納部１０４においては、これらのデータＩＤの「所属フォルダ」が、新規フォルダのアイコンＩＤ“ＩＣ１０１”に変更される。すなわち、これにより、アイコンＡのファイルとアイコンＢのファイルとが新規フォルダに格納されたことになる。
【００４３】
（具体例Ａ）
本実施形態に係る電子装置１における動作の具体例について説明する。図７および図８は、電子装置１の動作の具体例を示す図である。
例えば、表示部１００（画面操作部１１２）において、ユーザが指Ｆなどによって、テキストファイルのアイコン２０１を画像ファイルのアイコン２０２に向けてドラッグして（図７（ａ））、アイコン２０２の一部に重なる位置でアイコン２０１をドロップしたとする（図７（ｂ））。すると、アイコン２０１およびアイコン２０２と同じフォルダ階層に新規フォルダが自動的に生成されて、表示部１００にこの新規フォルダを示すアイコン２１０が表示される（図７（ｃ））。さらに、図７においては図示されないが、アイコン２０１に関連付けられているテキストファイル、およびアイコン２０２に関連付けられている画像ファイルがこの新規フォルダに保存される。
また、ユーザがこの新規フォルダのアイコン２１０を指Ｆなどでタップして選択すると（図８（ａ））、この新規フォルダの内容を表示するための表示領域１５０が表示部１００に表示される（図８（ｂ））。そして、本例では、フォルダに保存されているファイルを示すアイコン２０１、２０２が表示領域１５０内に表示される（図８（ｂ））。
【００４４】
（処理フローＡ）
図９は、具体例Ａにおける電子装置１の動作を示すフロー図である。
検出部１０１において、表示部１００で、アイコン２０１が他のアイコン２０２に重ねられたことが検出された場合には（ステップＳ１０１）、フォルダ生成部１０２において、アイコン２０１と同じフォルダ階層に新規フォルダが生成される（ステップＳ１０２）。もしくは、図２の構成においては、画面操作部１１２から管理制御部１１４に対して、画面表示部１１１においてアイコン２０１が他のアイコン２０２に重ねられたことが通知された場合には、管理制御部１１４からファイル管理部１１３に対して、アイコン２０１と同じフォルダ階層に新規フォルダを生成すべき旨の命令が出力される。
【００４５】
そして、ファイル格納部１０４において、アイコン２０１とアイコン２０２にそれぞれ関連付けられているファイルがステップＳ１０２において生成された新規フォルダに格納される（ステップＳ１０３）。もしくは、図２の構成においては、管理制御部１１４からファイル管理部１１３に対して、アイコン２０１とアイコン２０２にそれぞれ関連付けられているファイルを、生成された新規フォルダに格納すべき旨の命令が出力される。
【００４６】
さらに、フォルダアイコン表示部１０３において、アイコン２０１とアイコン２０２のそれぞれに関連付けられているファイルの種類に基づいて、所定のフォルダアイコンが新規フォルダのアイコンとして表示部１００に表示される（ステップＳ１０４）。もしくは、図２の構成においては、管理制御部１１４から画面表示部１１１に対して、アイコン２０１とアイコン２０２のそれぞれに関連付けられているファイルの種類に基づいて、所定のフォルダアイコンを新規フォルダのアイコンとして表示すべき旨の命令が出力される。
【００４７】
（具体例Ｂ）
図１０および図１１は、電子装置１の動作について別の具体例を示す図である。
例えば、表示部１００（画面操作部１１２）において、ユーザが指Ｆなどによって、テキストファイルのアイコン３０１を画像ファイルのアイコン３０２に向けてドラッグ・アンド・ドロップした後（図８（ａ））、さらに、オブジェクト（本例では、「画鋲」の図形）３０３を、アイコン３０１の一部に重なる位置でドラッグ・アンド・ドロップしたとする（図８（ｂ））。すると、アイコン３０１およびアイコン３０２と同じフォルダ階層に新規フォルダが自動的に生成されて、表示部１００にこの新規フォルダを示すアイコン３１０が表示される（図８（ｃ））。さらに、図８においては図示されないが、アイコン３０１に関連付けられているテキストファイル、およびアイコン３０２に関連付けられている画像ファイルがこの新規フォルダに保存される。
また、ユーザがこの新規フォルダのアイコン３１０を指Ｆなどでタップして選択すると（図１１（ａ））、この新規フォルダの内容を表示するための表示領域１６０が表示部１００に表示される（図１１（ｂ））。そして、フォルダに保存されているファイルを示すアイコン３０１、３０２が表示領域１６０内に表示される（図１１（ｂ））。
【００４８】
（処理フローＢ）
図１２は、具体例Ｂにおける電子装置１の動作を示すフロー図である。
検出部１０１において、表示部１００で、オブジェクト３０３（「画鋲）の図形）が他のアイコン３０１に重ねられたことが検出された場合には（ステップＳ２０１）、フォルダ生成部１０２において、アイコン３０１と同じフォルダ階層に新規フォルダが生成される（ステップＳ２０２）。もしくは、図２の構成においては、画面操作部１１２から管理制御部１１４に対して、画面表示部１１１においてオブジェクト３０３がアイコン３０１に重ねられたことが通知された場合には、管理制御部１１４からファイル管理部１１３に対して、アイコン３０１と同じフォルダ階層に新規フォルダを生成すべき旨の命令が出力される。
【００４９】
そして、ファイル格納部１０４において、アイコン３０１に他のアイコンが重ねられているか判断される（ステップＳ２０３）。もしくは、図２の構成においては、管理制御部１１４において、画面操作部１１２からの通知により、アイコン３０１に他のアイコンがかさなっているか判断される。
ステップＳ２０３において、アイコン３０１に他のアイコンが重ねられていると判断された場合には、アイコン３０１とアイコン３０２にそれぞれ関連付けられているファイルがステップＳ２０２において生成された新規フォルダに格納される（ステップＳ２０４）。もしくは、図２の構成においては、管理制御部１１４からファイル管理部１１３に対して、アイコン３０１とアイコン３０２にそれぞれ関連付けられているファイルを、生成された新規フォルダに格納すべき旨の命令が出力される。
【００５０】
また、ステップＳ２０３において、アイコン３０１に他のアイコンが重ねられていないと判断された場合には、アイコン３０１に関連付けられているファイルがステップＳ２０２において生成された新規フォルダに格納される（ステップＳ２０５）。もしくは、図２の構成においては、管理制御部１１４からファイル管理部１１３に対して、アイコン３０１に関連付けられているファイルを、生成された新規フォルダに格納すべき旨の命令が出力される。
【００５１】
さらに、フォルダアイコン表示部１０３において、オブジェクト（「画鋲」の図形）３０３の種類と、アイコン３０１に関連付けられているファイルの種類に基づいて、所定のフォルダアイコンが新規フォルダのアイコンとして表示部１００に表示される（ステップＳ２０６）。もしくは、図２の構成においては、管理制御部１１４から画面表示部１１１に対して、オブジェクト（「画鋲」の図形）３０３の種類と、アイコン３０１に関連付けられているファイルの種類に基づいて、所定のフォルダアイコンを新規フォルダのアイコンとして表示すべき旨の命令が出力される。
【００５２】
（他の実施の形態）
上記の実施形態においては、一つの装置において画面操作が実行されて新規フォルダにファイルが格納されることとしたが、画面操作を受け付ける装置と、それに伴い新規フォルダを生成してファイルを格納する装置は、別々になっていてもよい。具体的には、表示部１００および検出部１０１を有する装置と、フォルダ生成部１０２、フォルダアイコン表示部１０３、およびファイル格納部１０４を有する装置は別々となっていてもよい。
（まとめ）
以上説明したように、本発明によれば、所望の複数のファイルを簡単な操作で新規フォルダに保存することができる。特に、マウス等を使用しないタッチパネル形式の端末の操作性に資する。
【符号の説明】
【００５３】
１  電子装置
１００  表示部
１０１  検出部
１０２  フォルダ生成部
１０３  フォルダアイコン表示部
１０４  ファイル格納部
１１１  画面表示部
１１２  画面操作部
１１３  ファイル管理部
１１４  管理制御部
１５０、１６０  表示領域
２０１、２０２、２１０  アイコン
３０１、３０２、３１０  アイコン
３０３  オブジェクト
【図１】
2012008916.tif 000003
【図２】
2012008916.tif 000004
【図３】
2012008916.tif 000005
【図４】
2012008916.tif 000006
【図５】
2012008916.tif 000007
【図６】
2012008916.tif 000008
【図７】
2012008916.tif 000009
【図８】
2012008916.tif 000010
【図９】
2012008916.tif 000011
【図１０】
2012008916.tif 000012
【図１１】
2012008916.tif 000013
【図１２】
2012008916.tif 000014